(57)【特許請求の範囲】
【請求項１】
内側寸法を規定する内壁と尖った先端を有するカニューラと、
前記カニューラ内に位置し、前記カニューラの前記内側寸法とほぼ等しい外側寸法を有する中実鈍針（２０１；２１１；２２１；２４１）とを備え、
前記中実鈍針（２０１；２１１；２２１；２４１）が少なくとも第一の位置及び第二の位置を有し、
（ａ）前記第一の位置においては、前記中実鈍針（２０１；２１１；２２１；２４１）はその全体が前記カニューラの内部に収められ、かつ（ｂ）前記第二の位置において前記中実鈍針（２０１；２１１；２２１；２４１）は該中実鈍針の先端が前記カニューラの開口を超えて延びるように充分に前進させられる、針アッセンブリ（３０１）において、
前記中実鈍針（２０１；２１１；２２１；２４１）は、前記内壁の周囲部によって規定される第一の空間内の流体流れを実質的に妨げ、かつ前記内壁の前記周囲部によって規定される第二の空間内での流体流れを許容するように形成されており、
さらに、前記中実鈍針（２０１；２１１；２２１；２４１）は、前記第一の位置と第二の位置との間で前記カニューラを介した長手方向の動きが可能である一方、前記長手方向と実質的に直交する方向への動きは防止されている、
ことを特徴とする針アッセンブリ（３０１）。
【請求項２】
請求項１記載の針アッセンブリ（３０１）において、前記中実鈍針（２０１；２１１；２２１；２４１）に接続されたクリップ（５１１）を備え、
前記クリップ（５１１）は、中実鈍針（２０１；２１１；２２１；２４１）が前記カニューラ内で回転できないようにカニューラに接続されたフレームに摺動可能に接続されており、
かつ、前記中実鈍針（２０１；２１１；２２１；２４１）は、前記クリップ（５１１）によって、前記第一及び第二の位置の一方の位置に保持されることを特徴とする針アッセンブリ。
【請求項３】
請求項１又は２記載の針アッセンブリ（３０１）において、前記中実鈍針（２０１；２１１；２２１；２４１）の一部は、前記周囲部に実質的に近接した位置から前記カニューラの少なくともセンターラインまで延出していることを特徴とする針アッセンブリ。
【請求項４】
請求項３記載の針アッセンブリ（３０１）において、前記中実鈍針（２０１；２１１；２２１；２４１）は、前記内径の少なくとも半分にわたり延出していることを特徴とする針アッセンブリ。
【請求項５】
請求項１ないし４の何れか一項記載の針アッセンブリ（３０１）において、前記中実鈍針（２０１；２１１；２２１；２４１）は実質的にＤ字形断面を有していることを特徴とする針アッセンブリ。
【請求項６】
請求項１ないし４の何れか一項記載の針アッセンブリ（３０１）において、前記中実鈍針（２０１；２１１；２２１；２４１）は実質的にパイ片形の断面を有していることを特徴とする針アッセンブリ。
【請求項７】
請求項１ないし４の何れか一項記載の針アッセンブリ（３０１）において、前記中実鈍針（２０１；２１１；２２１；２４１）は実質的に、切欠き部を持った円形断面を有していることを特徴とする針アッセンブリ。
【請求項８】
請求項７記載の針アッセンブリ（３０１）において、前記切欠き部は「Ｕ」形に類似していることを特徴とする針アッセンブリ。
【請求項９】
請求項７記載の針アッセンブリ（３０１）において、前記切欠き部は「Ｖ」形に類似していることを特徴とする針アッセンブリ。
【発明の詳細な説明】
【０００１】
【発明の属する技術分野】
この発明は、医療装置及び他の同様な装置に関し、特に、患者の皮膚等の対象を刺す尖った遠位端のある中空針を含む静脈注射用カテーテル及びシリンジ等の医療装置に関する。
【０００２】
【従来の技術および発明が解決しようとする課題】
尖った針の先端を用いて患者の皮膚を刺すカテーテル装置やシリンジを使って患者を処置するとき、医療従事者は感染疾患の危険に曝され、この危険が注目されている。誤って針で刺されることから医療従事者を保護するために、多くの解決手段が開発されてきた。カテーテル又はシリンジ内に保護機構を取り込んで、使用済みの尖った針の先端と物理的接触することを防ぎ、誤って針で刺されることから保護する。開発された解決手段の多くは複雑である。例えば、幾つかの手段では、針を使用した後、針をハウジング内に取り込む。他の手段では、中空針のカニューラ内に鈍針(blunts)を含ませる。
【０００３】
これらの鈍針には主に２つの形態がある：中空針の円形軸内に同心円的に入る中空チューブの中空鈍針、及び中実鈍針である。中空鈍針のデザインでは、血液が鈍針を出てフラッシュチャンバに入るように、出口を近方に設ける必要があり、この使用はこの技術分野で良く知られている。血液を可能な限り早くフラッシュバックするために、出口は針の太い端のすぐ近くに配置する必要がある。従って、満足できる中空鈍針を得るためには、追加の加工又は製造工程が必要である。中実ロッド鈍針は一般に円柱状ロッドであり、中実ロッド鈍針の直径の周囲全体に流体が流れる隙間を形成するために、鈍針の外径は針のカニューラ軸の内径より十分に小さい。幾つかの従来技術のデザインでは、中実ロッド鈍針は溝を含むが、それにもかかわらず、中実ロッド鈍針の壁（鈍針の外径）はカニューラ軸の内径から少し離れて位置する。
【０００４】
図１（Ａ）は、針アセンブリ１０１の軸の１０５内にある従来技術の中実鈍針１０３の一例を示す図である。針１０７は中空開口１０９とその開口の端にある尖った先端１０７を有する。図１（Ａ）に使用前の針アセンブリ１０１を示す。この状態では、中実ロッド鈍針１０３全体は、尖った先端１０７が患者の皮膚等の対象を刺すことができるように、針１０５の軸内にある。使用後、図１（Ｂ）に示すように、中実ロッド鈍針１０３は縦（長手方向）軸１２０に沿って長手方向に前進し、中実鈍針１０３の先端１１１が軸１０５の開口を越えて延び、それにより尖った先端１０７をある程度カバーして、針の使用者がうっかり針で刺されないようにする。この技術分野で良く知られているように、クリップ又は他の機構により中実鈍針ロッド１０３を軸１０５に対して保持し、鈍針１０３が一度開口を越えて延びたら軸１２０に沿って長手方向に動くのを妨げる。しかし、図１（Ｃ）に示すように、中実鈍針１０３は縦軸１２０に対し垂直方向に動くことが可能であり、このため鈍針と尖った先端の間の隙間が大きくなり、誤って針で刺したり突いたりする恐れが増す。図１（Ｃ）は図１（Ｂ）のライン１Ｃ−１Ｃに沿ったアセンブリ１０１の断面図である。図１（Ｃ）に示すように、軸１０５の内径と中実鈍針ロッド１０３の外径の間にはかなりの隙間１０９ａがある。このため、図１（Ｂ）に示すように、ロッドは縦軸１２０と垂直な軸１３０に沿って上下に動ける。その結果、図１（Ｂ）に示すように、鈍針１０３が尖った先端１０７を越えて延びて出ているときでも、先端１０７から離れることが可能となる。鈍針が針の尖った先端の端を越えて長手方向に前進しても、鈍針の壁と尖った先端の間の隙間が大きくて尖った先端が人の皮膚をひっかいたり刺したりする恐れがある。中実鈍針は流体が流れるためにその周囲にスペースを設けることが必要であり、そのため隙間１０９ａが必要となると考えられる。
【０００５】
上述したように、針の使用者をより確実に保護できるように中実鈍針を改善することが望まれている。
【０００６】
【課題を解決するための手段】
本発明は針で刺す事故を防ぐ中実鈍針を提供する。また、本発明は中実鈍針を含む針アセンブリを提供する。
【０００７】
典型的な一実施形態では、中実鈍針の外側寸法（例えば、外径）は、中実鈍針を中に入れるように形作られた針のカニューラの内側寸法（例えば、内径）とほぼ等しい。
【０００８】
一例では、中実鈍針は、流体がカニューラの内径の第一の周囲部に沿って流れるのを妨げ、流体が内径の第二の周囲部に流れるのは可能にする。一般に、中実鈍針はカニューラを通って長手方向に動くことは可能であり、長手方向の動きと垂直な方向に動くのは実質的に妨げられる。
【０００９】
他の典型的な実施形態では、針アセンブリは、中実鈍針、カニューラ及び、カニューラに接続するフレームに中実鈍針を接続するクリップを含む。クリップは、中実鈍針が少なくとも２つの位置の間を長手方向に動くのは可能にするが、中実鈍針が針の軸内で回転するのは妨げる。中実鈍針自身は、中実鈍針の長手方向の動きに対して垂直な方向に実質的に動くことができないように、針の軸内に効果的に入る。
【００１０】
本発明は、針、カテーテルアセンブリ、カテーテル導入体（introducers)等の医療装置及び他の装置と共に使用できる。
【００１１】
【発明の実施の形態】
本発明を添付図面に例示して説明するが添付図面に限定されない。図面において同一の参照番号は同一の部材を示す。
【００１２】
本発明は、中実鈍針及びそれを含む針アセンブリの様々な例を提供する。以下の説明と図面は本発明を例示するものであり、本発明を限定するものではない。多くの特別な詳細は本発明を理解するために説明されている。例えば、特別の形状や寸法は本発明を説明する目的で示されている。幾つかの例では、本発明の詳細を不必要に分かりづらくしないために、既知又は従来技術の詳細は説明してない。
【００１３】
一般に、本発明による中実鈍針の外側寸法（例えば、外径）は、この中実鈍針を内包するように形作られた針のカニューラの内側寸法（例えば、内径）とほぼ等しい（例えば、ほんの少し小さい）。例えば、中実鈍針を針の開口を越えて長手方向に延ばすとき等のように、鈍針を針が刺すのを防ぐために配置するとき、この外側寸法を有する鈍針の少なくとも一部は、針の尖った先端近くに位置するように形作られる。中実鈍針は、鈍針の面（例えば、外径）が可能な限り針の尖った先端（例えば、内径）に近づくように位置しながら、十分な大きさの流路を通って流体が流れるように、形作られる。従って、中実鈍針の少なくとも一部は、カニューラの内径の第二の周囲部に流体が流れるのを可能にしながら、内径の第一の周囲部に沿って流体が流れるのを実質的に妨げることができる。本発明による典型的は鈍針は、カニューラを通って長手方向に動けるが、この長手方向の動きと垂直な方向の動きは実質的に妨げられるようにできる。この垂直方向の動きが妨げられることにより、鈍針の外側寸法が針の尖った先端付近に位置し、尖った先端が人の皮膚をひっかいたり切ったりする危険を減らす。
【００１４】
図２（Ａ）は、中実鈍針２０１の一例を示し、この中実鈍針は断面が文字「Ｄ」に似た特別の形状をしている。中実鈍針２０１には外側周囲部、即ち外面２０３と上方平面部２０９がある。鈍針の中実内部２０５は周囲部２０３からセンターライン２０７を越えて平面部２０９まで延びる。センターライン２０７は、中実鈍針２０１を受けるカニューラの中央直径となるようにデザインされている。
【００１５】
図３（Ａ）は、中実鈍針２０１と針の軸３０３を含む針アセンブリ３０１の例を示す図である。図３（Ａ）の断面図に概略を示すように、中実鈍針は、中実鈍針の大部分が針の尖った先端の近くに位置するように、針軸３０３内に配置する。図３（Ａ）に示すように、中実鈍針の外面の周囲部２０３は軸３０３の内径３０７近くに位置する。従って、非常に小さなギャップ３０９が、軸３０３の内径の少なくとも第一の周囲部に沿って、鈍針２０１と軸３０３の間に存在する。しかし、図３（Ａ）に示すように、流体は、中実鈍針２０１の上にある開口３０５を通って流れることができる。図３（Ａ）に示すように、鈍針２０１はセンターライン又はその上に中実物質を含み、鈍針は、軸３０３内の鈍針２０１の長手方向の動きに対して垂直な方向に実質的に動くことができない。即ち、軸３０３のセンターライン又はその上にある鈍針の中実物質により、鈍針は垂直方向の動きに抵抗する。
【００１６】
図２（Ｂ）は本発明による特別の形状の中実鈍針の他の例を示す図である。この特別の形状は、図２（Ｂ）に示すように鈍針の断面がパイの一片に似ていることから、パイ片形中実鈍針と呼ばれる。図２（Ｂ）の鈍針２１１は、第一の周囲部又は外面２１３と他の周囲部又は外面２１５を有する。図３（Ｂ）に示すように、これら各周囲部は軸３０３の内径と近接するようにデザインされている。一例では、鈍針の外径は軸３０３の内径とほぼ等しい（しかし、少しだけ小さい）。従って、図３（Ｂ）に示すように、極小さな隙間が周囲部２１３と軸３０３の内径３０７の間に存在する。鈍針２１１の中実内部２１９は１つの周囲部から他の周囲部まで延び、それにより鈍針の垂直方向の動きに抵抗する。図２（Ｂ）は、側面２１７ａ，２１７ｂが真っすぐな特別の形状の断面を示す図である。側面２１７ａ，２１７ｂは凹でも凸でもよい。
【００１７】
図２（ｃ）は本発明による特別の形状の中実鈍針の他の例を示す図である。図２（ｃ）の断面図に示す中実鈍針は切り欠き部２２９を含む。図３（ｃ）に示すように、切り欠き部があっても、鈍針２２１の中実部２２３は軸３０３のセンターライン２３１を越えて延びる。従って、上述したように、中実鈍針２２１は垂直方向の動きに抵抗する。中実鈍針２２１の外側周囲部２２５は軸３０３の直径とほぼ等しい（しかし、少しだけ小さい）直径を有するので、非常に小さい空間又は隙間３０９が中実鈍針の外面と軸３０３の内径３０７の間に存在する。図３（ｃ）に示すように、鈍針は、中実鈍針物質の大部分が尖った先端３１１の隣りに位置するように、尖った先端３１１に対し配置する。
【００１８】
図２（Ｄ）は本発明による特別の形状の中実鈍針の他の例を示す図である。図２（Ｄ）の断面図に示すように、鈍針２４１は鈍針の上面２５１にＤ形切り欠き２４９を含む。図３（Ｄ）に示すように、鈍針の十分な中実物質２４５が軸３０３のセンターライン２４７又はその上にある。鈍針２４１の外側周囲部２４３の、軸３０３の内径の対する大きさは、非常に小さい隙間３０９ｃが軸３０３の内径と鈍針２４１の外周の間に存在するような大きさである。鈍針２４１は、その中実物質の大部分が尖った先端３１１の近くにあるように、先端３１１に対して配置する。
【００１９】
図４は図３（Ａ）に示すアセンブリの斜視図である。図３（Ａ）の断面図は図４のライン３Ａ−３Ａに沿ったものである。図４に示すように、針アセンブリ３０１には中実鈍針があり、中実鈍針２０１は軸３０３により形成されるカニューラの中空内径内にある。軸３０３の内径３０７は、隙間３０９が非常に小さくなるように、鈍針２０１の外径とほぼ等しい（しかし、少しだけ大きい）。針を使用するとき、中実鈍針２０１の上部と内径３０７の間の隙間３０５は、軸３０３を通る流体路となる。一方、鈍針２０１の外側周囲部２０３と対応する軸３０３の内側周囲部の間は極めて接近しているので、隙間３０９を通る流体の流れはかなり制限される。軸３０３のセンターライン２０７が中実鈍針２０１に対して示される。図４に示すように、中実鈍針の中実物質の一部がセンターライン又はその上にあるので、鈍針が垂直方向３５７に沿って垂直に動くのが妨げられる。鈍針は、鈍針２０１に連結する従来のクリップ又は他の装置（図示せず）のコントロールの下、縦（長手方向）軸３５３に沿って長手方向に動ける。クリップ等の装置は直接鈍針に接続してもよいし、中継部材を介して接続してもよい。中継部材は図４に示すロッド３５１等のように異なる形状を有してもよい。ロッド３５１は中実鈍針２０１の機能を果たす必要はないので、中実鈍針２０１とは異なる形状を有することができる。中実鈍針２０１に必要な形状は、鈍針の一部が尖った先端３１１の近くに存在しなければならないことである。中実鈍針２０１をコントロールして配置するクリップ又は他の装置は、米国特許第５，００９，６４２号、同第５，５４０，６６２号、同第４，８２８，５４７号又は同第５，７４３，８８２号に示されるような従来技術の装置と同様でよい。従来の機構を用いるクリップ又は装置は、鈍針が長手方向に動くことは可能にするが、軸３０３内で円状に動くこと（例えば、回転）は防止しない。この円状方向は図４に矢印３５５で示す。従って、従来のクリップ又は他の装置を用いて、鈍針２０１の長手方向の動きを保持しコントロールすると、図４に示すように、鈍針２０１が回転するのを防止でき（従って尖った先端３１１に対して適切な位置にとどまり）、一方、軸３５３に沿って長手方向に動くのを可能にする。また、図４に示すように、本発明による鈍針の形状は、軸３５７に沿った垂直方向の動きも防ぐ。
【００２０】
図５（Ａ），図５（Ｂ）は、それぞれ、本発明によるＤ形中実鈍針とパイ片形中実鈍針の特定の例を示す図である。これらの図面と下記の表により、表により寸法が特定される様々な例が提供される。特に下記の表１は、特定の針軸に対するＤ形鈍針の寸法の例を示す。同様に、表２は、図５（Ｂ）のパイ片形鈍針の寸法の例を示す。表は、針の名目（nominal)内径（ＩＤ）と鈍針の名目外径（ＯＤ）を示す。鈍針のＯＤは針のＩＤより小さいがほぼ等しい。一般的なケースでは、鈍針のＯＤは針のＩＤより０．０５０８ｍｍ（０．００２インチ）だけ小さい。図５（Ａ），図５（Ｂ）のラベルは表１，２と同じラベルの寸法を表す（例えば、図５（Ａ）の「Ａ」は表１のＡ［「名目鈍針ＯＤ」］の欄に示される寸法である）。図５（Ａ），図５（Ｂ）の例では、針軸と鈍針は円柱形であると仮定しているので、直径を相対的寸法を表すために使用できる。本発明では他の形の針と鈍針も使用できる。例えば、各々断面が三角形又は長円である針と鈍針を使用できる。このときも、鈍針の寸法は針の寸法とほぼ等しい。
【００２１】
【表１】
0004166915.tif 000002
【００２２】
【表２】
0004166915.tif 000003
【００２３】
図６，図７は本発明のカテーテルシステム５０１の一例を示す図である。本発明の中実鈍針は、様々な異なる種類のカテーテルシステムと共に使用でき、図６，図７はこのようなシステムの一例を示しているにすぎない。カテーテルシステム５０１には、針５０２、カテーテルハブ５０３、Ｄ形中実鈍針５０４及び針フレーム５０７がある。カテーテルハブ５０３には、針５０２を囲むカテーテルチューブ５０６がある。また、カテーテルハブ５０３にはハブ接続部５０３ａがあり、ハブ接続部５０３ａは、クリップ５１１上のノッチと係合するように位置するセクション５０３ｂを含む。図６は、針を使用する前の、鈍針が針の軸内に入るようにセットされたカテーテルシステムを示す図である。中実鈍針は針５０２の軸内に位置し、針を使用した後は、鈍針を動かす従来の操作機構に従って針５０２の開口及び尖った先端５０５を越えて延びる。図７は針を使用した後のカテーテルシステムを示す図である。針フレーム５０７はフラッシュチャンバ５０９と接続し、さらに、スライド可能連結部材により鈍針５０４の端５１５と接続する。端５１５をクリップ５１１と接続して、カテーテルハブ５０３が針フレーム５０７から引き離されると、ハブ５０３ａ、クリップ５１１及び針フレーム５０７の下方部の間の相互作用により、鈍針５０４が引き出されるようにする（鈍針５０４は尖った先端５０５を越えて延びる）。図７に示すように、カテーテルハブ５０３が針フレーム５０７から引き離されると、針フレーム５０７の下方部はクリップ５１１の一部と係合する。図７に示すように、針フレーム５０７の下方部とクリップ間が係合すると、鈍針は尖った先端５０５を越えて延びたままになる。針５０２の開口に入った血液又は他の液体は、中実鈍針５０４の上部、さらにライン５１３に沿ってフラッシュチャンバ５０９の方へ流れる。本発明の中実鈍針は、中実鈍針を配置して針軸に対し長手方向に動かすための様々な異なる種類のクリップ及び他の機構を有する様々な異なる針アセンブリと共に、使用できる。
【００２４】
上述したように、本発明を特定の例示の実施形態について説明してきた。特許請求の範囲に示される本発明の広い精神と範囲から離れることなく、様々な変更が可能である。従って、上述の説明と図面は限定でなく説明のためのものである。
【００２５】
好適な実施態様を以下に示す。
（１）前記外側寸法は外径であり、前記外側寸法を有する前記中実鈍針の一部は前記針の尖った先端近くに位置するよう形作られる請求項１に記載の中実鈍針。
（２）前記中実鈍針の断面は、（ａ）実質的にＤ形、（ｂ）実質的にパイ片形、又は（ｃ）切り欠き部のある円形の１つである請求項１に記載の中実鈍針。
（３）前記切り欠き部は「Ｕ」形又は「Ｖ」形の１つに似ている実施態様（２）に記載の中実鈍針。
（４）前記中実鈍針は、流体が前記カニューラの内径の第一の周囲部に流れるのを妨げ、流体が前記内径の第二の周囲部に流れるのは可能とし、また前記中実鈍針は前記カニューラを通って長手方向に動くことは可能であり、前記長手方向の動きと垂直な方向に実質的に動くのは妨げられる実施態様（１）に記載の中実鈍針。
（５）前記中実鈍針は前記カニューラ内で回転が防止される実施態様（４）に記載の中実鈍針。
【００２６】
（６）前記中実鈍針の断面は、（ａ）実質的にＤ形、又は（ｂ）実質的にパイ片形の１つであり、前記中実鈍針の一部は前記第一の周囲部の実質的に近くから少なくとも前記カニューラのセンターラインまで延びる実施態様（５）に記載の中実鈍針。
（７）前記カニューラの断面は実質的に円形であり、前記内側寸法は内径であり、前記外側寸法は外径であり、前記中実鈍針の断面は実質的に円形の一部であり、前記外側寸法を有する中実鈍針の一部は前記カニューラの尖った先端の近くに位置するように形作られる請求項２に記載の針アセンブリ。
（８）さらに、中実鈍針に接続するクリップを有し、前記クリップは前記カニューラに接続するフレームにスライド可能に接続し、前記中実鈍針は前記カニューラ内で回転できず、前記中実鈍針は前記クリップにより２つの位置のうちの１つに保持され、前記２つの位置は、（ａ）前記中実鈍針が前記カニューラの尖った先端を越えて延びずに前記カニューラ内にある第一の位置と、（ｂ）前記中実鈍針が前記カニューラの尖った先端を越えて延びて前記カニューラの外側にある第二の位置である請求項２に記載の針アセンブリ。
（９）さらに、中実鈍針に接続するクリップを有し、前記クリップは前記カニューラに接続するフレームにスライド可能に接続し、前記中実鈍針は前記カニューラ内で回転できず、前記中実鈍針は前記クリップにより２つの位置のうちの１つに保持され、前記２つの位置は、（ａ）前記中実鈍針が前記カニューラの尖った先端を越えて延びずに前記カニューラ内にある第一の位置と、（ｂ）前記中実鈍針が前記カニューラの尖った先端を越えて延びて前記カニューラの外側にある第二の位置である実施態様（７）に記載の針アセンブリ。
（１０）前記中実鈍針の断面は、（ａ）実質的にＤ形、（ｂ）実質的にパイ片形、又は（ｃ）切り欠き部のある円形の１つである実施態様（７）に記載の針アセンブリ。
【００２７】
（１１）前記切り欠き部は「Ｕ」形又は「Ｖ」形である実施態様（１０）に記載の針アセンブリ。
（１２）前記中実鈍針は、流体が前記カニューラの内径の第一の周囲部に流れるのを妨げ、流体が前記内径の第二の周囲部に流れるのは可能とし、前記中実鈍針は前記カニューラを通って長手方向に動くことは可能であり、前記長手方向の動きと垂直な方向に実質的に動くのは妨げられる実施態様（７）に記載の針アセンブリ。
（１３）前記長手方向の動きは、（ａ）前記中実鈍針が前記カニューラの尖った先端を越えて延びずに前記カニューラ内にある第一の位置と、（ｂ）前記中実鈍針が前記カニューラの尖った先端を越えて延びて前記カニューラの外側にある第二の位置の間の動きを含む実施態様（１２）に記載の針アセンブリ。
（１４）前記中実鈍針は前記カニューラ内で回転が防止される実施態様（１３）に記載の針アセンブリ。
（１５）前記中実鈍針の一部は前記第一の周囲部の実質的に近くから少なくとも前記カニューラのセンターラインまで延びる実施態様（１３）に記載の針アセンブリ。
（１６）前記中実鈍針は前記内径の少なくとも半分を延びる実施態様（１５）に記載の針アセンブリ。
【００２８】
【発明の効果】
以上述べたように、本発明によれば、針の使用者を針で刺されることからより確実に保護できる中実鈍針とそれを含む針アセンブリを提供できる効果がある。
【図面の簡単な説明】
【図１】（Ａ）は針軸内にある従来技術の鈍針の斜視図であり、針を使用する前の針の軸と先端に対する鈍針の一般的位置を示す図であり、（Ｂ）は従来技術の針アセンブリの斜視図であり、針を使用した後、鈍針が針の先端を越えて延びているのを示す図であり、（Ｃ）は図１（Ｂ）のライン１Ｃ−１Ｃに沿った、針軸内にある中実鈍針の断面図である。
【図２】（Ａ）は本発明による中実鈍針の一例を示す断面図であり、（Ｂ）は本発明による中実鈍針の一例を示す断面図である。（Ｃ）は本発明による中実鈍針の一例を示す断面図であり、（Ｄ）は本発明による中実鈍針の一例を示す断面図である。
【図３】（Ａ）は針軸内にある図２（Ａ）の鈍針の断面図であり、針と鈍針のアセンブリの鈍針と尖った先端３１１の相対的位置を示す図であり、（Ｂ）は針軸内にある図２（Ｂ）の鈍針の断面図であり、針と鈍針のアセンブリの鈍針と尖った先端３１１の相対的位置を示す図である。（Ｃ）は針軸内にある図２（Ｃ）の鈍針の断面図であり、針と鈍針のアセンブリの鈍針と尖った先端３１１の相対的位置を示す図であり、（Ｄ）は針軸内にある図２（Ｄ）の鈍針の断面図であり、針と鈍針のアセンブリの鈍針と尖った先端３１１の相対的位置を示す図である。
【図４】本発明による針と鈍針のアセンブリの斜視図である。
【図５】（Ａ）は本発明による中実鈍針の他の一例の断面図であり、（Ｂ）は本発明による中実鈍針の他の一例の断面図である。
【図６】本発明による中実鈍針を使用できるカテーテルアセンブリの一例の断面図である。
【図７】本発明による中実鈍針を使用できるカテーテルアセンブリの一例の断面図である。
【符号の説明】
２０１，２１１，２２１，２４１，５０４  中実鈍針
２０３，２１３，２１５，２２５，２４３  第一の周囲部
２０７，２３１，２４７  センターライン
２０９，２１７Ａ，２１７Ｂ，２２７，２２９，２４９，２５１  第二の周囲部
３０１，３２１，３３１，３４１  針アセンブリ
３１１，５０５  尖った先端
３５３  長手方向
３５７  垂直な方向
５０２  針（カニューラ）
【図１】
0004166915.tif 000004
【図２】
0004166915.tif 000005
【図３】
0004166915.tif 000006
【図４】
0004166915.tif 000007
【図５】
0004166915.tif 000008
【図６】
0004166915.tif 000009
【図７】
0004166915.tif 000010